(57)【要約】      （修正有）【課題】車両の換気、暖房、または空調設備の補助電気ヒーター用の加熱素子を収容するフレームを提供し、特に、ヒーターの構成部品の相互組立のために実施すべき組立操作を限定することにより、低価格で得られる構造の簡単な上記フレームを提供する。【解決手段】このフレーム１は、空洞に構成され、設備が伝播する空気流Ａが通過する主要面２、２’が、加熱素子３の収容空間１２が双方の間に設けられるように、互いに離隔保持されている。フレーム１は単一部品からなり、収容空間１２への加熱素子３の固定手段１５が、主要面２、２’の領域に設けられている。【選択図】図２
2007216951.tif 000002
【特許請求の範囲】
【請求項１】
換気、暖房、または空調設備の電気ヒーター用の、少なくとも１つの加熱素子（３）の収容フレーム（１）であって、このフレーム（１）は、空洞のフレームとして構成され、この設備が伝播する空気流Ａが通過する主要面（２、２’）は、双方の間に加熱素子（３）の収容空間（１２）を有するように互いに離隔保持され、かつ前記フレーム（１）は、前記空間（１２）の内部への加熱素子（３）の固定手段（１５）が、前記主要面（２、２’）の領域に設けられた、単一部品からなることを特徴とするフレーム。
【請求項２】
前記空間（１２）への加熱素子（３）の挿入路（２１）が、フレーム（１）の少なくとも１つの任意の側壁を介して設けられていることを特徴とする請求項１に記載のフレーム。
【請求項３】
固定手段（１５）を組み込んだ単一部品が、プラスチック材料により注入成形され、前記主要面（２、２’）は、固定手段（２，２’）により、少なくとも部分的に形成されていることを特徴とする請求項１または２に記載のフレーム。
【請求項４】
固定手段（１５）は、ストッパをなす少なくとも一つの固定部材から構成され、前記固定部材は、少なくとも一方の前記主要面（２、２’）の平面に設けられて、前記空間（１２）の外側への加熱素子（３）の移動を妨げるようになっていることを特徴とする請求項１〜３のいずれかに記載のフレーム。
【請求項５】
前記空間（１２）に設けられた加熱素子（３）を個々に収容する少なくとも１つの通路（１３）を有し、この通路は、前記主要面（２、２’）の間に位置されて延びる長手方向の隔壁（１４）により画定されていることを特徴とする請求項１〜４のいずれかに記載のフレーム。
【請求項６】
固定手段（１５）は、隔壁（１４）と前記主要面（２、２’）との間の接合領域に設けられていることを特徴とする請求項４または５に記載のフレーム。
【請求項７】
固定手段（１５）は、少なくとも１つの隔壁（１４）の縁部から構成されていることを特徴とする請求項６に記載のフレーム。
【請求項８】
固定手段（１５）は、連続式またはセグメント式のどちらかにより、隔壁（１４）に沿って延びていることを特徴とする請求項６または７に記載のフレーム。
【請求項９】
固定手段（１５）は、隔壁（１４）に沿ってセグメントに従って延び、主要面（２、２’）の一方に割り当てられる固定手段（１５）の少なくとも１つのセグメントが、主要面の他方に割り当てられている固定手段（１５）の少なくとも１つのセグメントに対してオフセットされていることを特徴とする請求項８に記載のフレーム。
【請求項１０】
加熱素子（３）の少なくとも１つのブロック部材（１７）が、フレーム（１）に組み込まれていることを特徴とする請求項１〜９のいずれかに記載のフレーム。
【請求項１１】
ブロック部材（１７）が、加熱素子（３）の一端と協働して、加熱素子が少なくとも長手方向に移動しないようにしてあることを特徴とする請求項１０に記載のフレーム。
【請求項１２】
ブロック部材（１７）は、加熱素子（３）が含む係合凹凸部（２２）と協働する爪付きフィンガからなることを特徴とする請求項１０または１１に記載のフレーム。
【請求項１３】
ブロック部材（１７）は、前記主要面（２、２’）の少なくとも一方の平面上に延びていることを特徴とする請求項１０〜１２のいずれかに記載のフレーム。
【請求項１４】
加熱素子（３）を長手方向に支持する少なくとも１つの弾性部材（１６）が、フレーム（１）に組み込まれていることを特徴とする請求項１〜１３のいずれかに記載のフレーム。
【請求項１５】
複数の加熱素子（３）における個々の統合手段を組み込んであることを特徴とする請求項１〜１４のいずれかに記載のフレーム。
【請求項１６】
前記統合手段は、各加熱素子（３）に対して、
ａ）それらの収容空間（１２）の内部で、フレーム（１）の平面に加熱素子（３）を固定する少なくとも１つの固定手段と、
ｂ）一端で加熱素子（３）を支持する少なくとも１つの弾性手段に結合された、加熱素子（３）の少なくとも１つの長手方向ブロック手段と、
ｃ）フレーム（１）に加熱素子（３）を側面から位置決めし、ヒーターに装備される接続ベース（４）が含む個々の電気接続部材に対して、この位置に前記加熱素子（３）を保持する手段とを、組み合わせてなることを特徴とする請求項１５に記載のフレーム。
【請求項１７】
請求項１〜１６のいずれかに記載のフレーム（１）を備えることを特徴とする換気、暖房、または空調設備の電気ヒーター。
【請求項１８】
請求項１７に記載の電気ヒーターを備える、換気、暖房、または空調設備。
【請求項１９】
ａ）前記フレームの側壁に設けられた挿入路（２１）を介して、少なくとも１つの加熱素子（３）を、フレーム（１）における収容空間（１２）に挿入するステップと、
ｂ）フレームの主要面（２、２’）の一定領域に設けられたフレーム（１）の収容空間における加熱素子の固定手段の間で、加熱素子（３）を摺動させるステップと、
ｃ）弾性部材（１６）で加熱素子（３）を支持し、加熱素子（３）とブロック部材（１７）との協働により、弾性部材を所定の位置にブロックするステップと、
ｄ）フレーム（１）への嵌合により接続ベース（４）を配置し、この接続ベース（４）に、加熱素子（３）を接続するステップとを、少なくとも含むことを特徴とする電気ヒーターの組立方法。
【発明の詳細な説明】
【技術分野】
【０００１】
本発明は、車両の乗員室用の換気、暖房、または空調設備の分野に関し、また、このような設備に設けられる補助電気ヒーターの分野に関する。特に本発明は、このようなヒーターが備える電気加熱素子の支持フレームに関する。
【背景技術】
【０００２】
車両用等の換気、暖房、または空調設備は、一般に、付加的な電気ヒーターを備えている。このようなヒーターは、特に、始動時に熱が不足する車両において、直ちに熱補給を行うためのものである。
【０００３】
付加的な電気ヒーターは、電気素子の支持フレームと、車両の電源にヒーターを電気接続するコネクタ手段と、さらに、ヒーターの動作制御または管理手段を備えている。フレームは、通常、全体的に平面フレームとして構成され、その内部の空洞に、正の温度係数（ＰＴＣ）を持つ抵抗等の加熱素子が収容される。
【０００４】
ヒーターの構成部品の生産費用、および取付費用を削減するために、望ましいフレーム構造を、できるだけ簡単に構成するという一般的な課題が提起されている。
【０００５】
たとえば、特許文献１および特許文献２によれば、フレームは、互いに平行に組み立てられる２個の平面フレーム要素からなり、双方の間に加熱素子が保持されている。加熱素子は、最初に相互組立されて単一ブロックを形成し、このブロックは、前記フレーム要素の一方に設置される。
【０００６】
次いで、他方のフレーム要素を、先のフレーム要素に組み立てて、双方の間で、加熱素子ブロックを保持する。フレームは、フレーム間で加熱素子を保持する部材を構成するだけでなく、設備の内部、特に設備におけるハウジングの内部に、加熱素子を設置する中間部材を構成する。そのため、フレームは、設備の少なくとも１つの壁に接合手段を備えており、これによって、設備の内部を循環する空気流が壁の全体面を通過し、特に、対向する２つの主要面を通過するようにしている。
【０００７】
このようなフレーム構造では、多数の部品を使用することになり、また、ヒーターを組み立てる際の部品の取付操作数が多くなる。しかも、このような構成は、標準化された加熱素子の利用と相容れない。
【０００８】
フレームへの加熱素子の設置を容易にし、互いに、またヒーターのコネクタ手段に対して、これらの加熱素子の位置決め保持を容易にし、しかも低価格でフレームを得られるようにするために、フレームの製造方法には改善の余地がある。
【０００９】
【特許文献１】欧州特許第０９０１３１１号明細書（ＢＥＨＲ  Ｇｍｂｈ  ＆  Ｃｏ）
【特許文献２】仏国特許第２８３８５９９号明細書（ＶＡＬＥＯ  ＣＬＩＭＡＴＩＳＡＴＩＯＮ）
【発明の開示】
【発明が解決しようとする課題】
【００１０】
本発明の目的は、車両の換気、暖房、または空調設備の補助電気ヒーター用の加熱素子を収容するフレームを提案することにある。特に本発明は、ヒーターの構成部品の相互組立のために実施すべき組立操作を限定することにより、低価格で得られる構造の簡単な上記フレームを提案しようとするものである。
【００１１】
また、本発明は特に、標準的な加熱素子を使用可能であり、この加熱素子を、フレームに迅速かつ容易に設置でき、また互いに、車両の電源、または場合によっては、制御部材にヒーターを接続するコネクタ手段に対して、信頼性のある位置決めを行える上記フレームを提案しようとするものである。
【課題を解決するための手段】
【００１２】
本発明のフレームは、車両の換気、暖房、または空調設備の補助電気ヒーター用の少なくとも１つの加熱素子を収容するフレームである。この加熱素子は、正の温度係数（ＰＴＣ）を有する抵抗、または同様の加熱素子である。このフレームは、空洞のフレームとして構成され、この設備が伝播する空気流Ａが通過する主要面が、双方の間に加熱素子の収容空間を形成するように、互いに離隔保持される。
【００１３】
本発明によれば、上記フレームは、主に、前記収容空間への加熱素子の固定手段が主要面の領域に設けられた、単一部品からなることを特徴とする。固定手段は、フレームの平面への加熱素子の固定手段であり、加熱素子が、前記主要面から出てしまわないようにする。
【００１４】
固定手段をフレームと一体成形すると有利である。
【００１５】
本発明のフレームの別の特徴によれば、前記収容空間への加熱素子の挿入路は、特に、フレームの少なくとも１つの任意の側壁を介して設けられる。側壁は、フレームを縁取って、主要面に隣接する部分である。
【００１６】
加熱素子を収容する空間は、フレームの側壁の間に画定されている。フレームの主要面の領域に設けられる固定手段は、本発明において求めている容積の外部へも、また、この容積の内部へも、加熱素子が通過しないようにする障害物を構成している。
【００１７】
単一部品としての構造と、固定手段が形成する前記障害物とにもかかわらず、加熱素子の収容に宛てられているフレームの収容空間の内部に、加熱素子を設けることを可能にするために、前記挿入路は、フレームの側壁の１つに設けられ、フレームの両方の主要面の領域にそれぞれ設けられた少なくとも１つまたは複数の固定部材の間に、摺動による引き出し式に、加熱素子を挿入する。
【００１８】
フレームは、１回の製造操作による成形で得られるようにすると有利であり、フレームへの加熱素子の設置は、簡単かつ適切に行われるので、特別な追加組立操作に伴う余分な付属組立部材を用いる必要はない。
【００１９】
固定手段を統合した単一部品を、プラスチック材料の注入成形により得、前記主要面を、少なくとも部分的に固定手段から形成するのがよい。
【００２０】
固定手段は、ストッパをなす固定部材から構成され、この固定部材の、少なくとも一方、有利には両方の主要面上に設けられて、前記収容容積の外側への加熱素子の移動を防止している。
【００２１】
好適な実施形態によれば、フレームは、前記容積に設けられた加熱素子を、個々に収容する少なくとも１つの通路を有する。この通路は、フレームの容積への挿入時に、加熱素子を側面からガイドしやすくし、有利には、フレームへのはめ込み用の接続ベースが含む接続部材に対して、加熱素子の側面の位置決め手段を構成する。
【００２２】
フレームが含む長手方向の隔壁を用いて、フレームの容積を仕切ることにより、複数の通路が設けられる。少なくともこの通路は、前記主要面の間に配置されて延びる長手方向の隔壁の間で画定されている。１つまたは複数の加熱素子のこのような側面の位置決め手段により、付加的なヒーターに装備される接続ベースの電気接続部材に対して、加熱素子を厳密に位置決めすることができ、それによって、あらゆる妨害的な電気接触は回避される。
【００２３】
またこのような構成は、特に、標準的な加熱素子を個々に使用可能にするためのものであり、加熱素子は、この加熱素子が割り当てられる通路の内部に、互いに別々に配置される。より詳しくは、通路は、長手方向の隔壁により互いに分離されており、この隔壁は、加熱素子を互いに電気的に絶縁する部材を構成している。さらに、長手方向の隔壁は、フレームの剛性を高めるリブを形成している。
【００２４】
固定部材は、隔壁と、前記主要面との間の接合領域に設けられ、たとえば、隔壁が含む縁部から構成されている。
【００２５】
固定部材は、連続式またはセグメント式のどちらかにより、隔壁に沿って延びている。第１の変形実施形態によれば、固定部材の縁部は、隔壁の全長に沿って延びている。第２の変形実施形態によれば、縁部は、隔壁に沿った離隔セグメントに従って延びている。
【００２６】
フレームの主要面の一方に割り当てられる同一固定部材に対して、縁部は、隔壁の対応する区画の両側に設けてもよいし、あるいは、少なくとも部分的に、隔壁のこの区画の一方の縁だけに沿って設けてもよい。後者の場合、セグメントは、同一隔壁の区画の縁部の両側で、交互にオフセットさせて設けられる。
【００２７】
本発明の好適な実施形態によれば、固定部材は、隔壁に沿い、セグメントに従って延びている。主要面の一方に割り当てられる固定部材の少なくとも１つのセグメントは、主要面の他方に割り当てられる固定部材の少なくとも１つのセグメントに対してオフセットされる。この構成により、フレームの構成が複雑化されるにもかかわらず、製造時に、フレームの型抜きが容易になるという利点が得られる。
【００２８】
固定部材のセグメントの相互のオフセットは、フレームの平面で、長手方向のオフセット、または横方向のオフセットのどちらでもよい。
【００２９】
より詳しくは、フレームの主要面の一方に割り当てられる第１の固定部材のセグメントは、第１の隔壁の区画に、互いに離隔して設けることができる。
【００３０】
第１の変形実施形態によれば、その場合、他方の固定部材のセグメントは、第１の固定部材のセグメントの離隔領域に対応して、同じ隔壁の反対領画に設けられる。
【００３１】
第２の変形実施形態によれば、その場合、他方の固定部材のセグメントは、第１の隔壁と反対側の領域で第１の隔壁が含む固定部材に向かい合って延びる、別の隔壁に設けられる。
【００３２】
有利な実施形態によれば、この２つの変形実施形態を結合することができる。特に、前記主要面の第１の主要面に、固定部材のＮ個のセグメントが割り当てられる場合、主要面の他方に割り当てられる固定部材は、第１の主要面に割り当てられる固定部材のセグメントに対して、長手方向および横方向に交互にオフセットされたセグメントを有している。
【００３３】
好適な実施形態によれば、加熱素子の少なくとも１つのブロック部材は、フレームと直接一体成形される。
【００３４】
ブロック部材は、加熱素子の一端と協働して、加熱素子が少なくとも長手方向に移動しないようにすると有利である。たとえば、ブロック部材は、クリップ、つめ、フック、または同様の部材を有するフィンガからなり、加熱素子における係合凹凸部と協働する。
【００３５】
少なくともブロック部材は、前記主要面の少なくとも一方の平面に延びているのが好ましい。
【００３６】
好適な実施形態によれば、加熱素子を長手方向に支持する少なくとも１つの弾性部材は、フレームに統合されている。このような統合は、成形により直接行われる。この弾性部材の少なくとも１つの機能は、製造公差に関しても、動作段階での膨張に関しても、特に長手方向に、加熱素子の寸法変動を吸収することである。
【００３７】
好適な変形実施形態によれば、加熱素子は、その一端に、ブロック部材と協働可能な係合凹凸部を備える縁部を有している。この凹凸部は、たとえば、電極に設けられるショルダまたは、放熱帯の末端から形成され、双方とも、加熱素子の一部をなしている。フレームの内部への挿入時に、弾性部材で加熱素子を支持すると、弾性的に動くように、フレームの平面に取り付けられているブロック部材は、フレームへの加熱素子の望ましい固定位置まで撓む。
【００３８】
フレームには、横方向の剛性リブが組み込まれているのが好ましい。この横方向のリブは、ブロック部材と弾性部材とを支持するために用いられる。特に、ブロック部材と弾性部材との少なくとも一方は、フレームが含む横方向の剛性リブの少なくとも１つに設けられている。
【００３９】
好適な実施形態によれば、フレームと、電源または制御手段を備える加熱素子の接続用の接続ベースとの間の接合部材は、フレームに統合されている。この統合を、成形により行うのが有利である。
【００４０】
接合部材は、特に、接続ベースを嵌合により収容する部材であり、内部空洞が加熱素子の前記挿入路を構成するスリーブ、または同等物に配置される。スリーブは、接続ベースを収容する少なくとも１つの溝と、この接続ベースが含む係合凹凸部を弾性的に嵌合する少なくとも１つの凹凸部とを備えている。この凹凸部は、たとえば、接続ベースが含むクリップまたは同等部材を収容する溝から形成される。
【００４１】
弾性部材および嵌合部材は、フレームの対向する２つの側面に設けられる。
【００４２】
好適な実施形態によれば、設備の少なくとも１つの壁へのフレームの固定手段が、フレームに統合されている。このような統合を成形により行うと有利である。
【００４３】
設備の壁は、特に、付加的なヒーターを収容するためのハウジングの壁である。固定手段は、設備の壁におけるフレームのガイド位置決め部材を備えている。このガイド部材は、たとえば、Ｃ字形または同様の形状に構成された形材等の、フックまたは軸方向に開いたスリーブ、あるいは任意形状の懸架部材または嵌合部材からなっている。このような懸架部材は、設備が含む固定レールと協働可能である。
【００４４】
好適には、固定手段と協働するガイド部材は、接続ベースを嵌合収容する部材を含むフレーム端と反対のフレーム端に配置されるので、フレームは、端でそれぞれレールと接続ベースとに係合されながら、設備内部に保持され、接続ベース自体は、設備の壁に固定される。
【００４５】
好適な実施形態によれば、フレームは、少なくともその一端に、設備が伝播する空気流を通過させるための少なくとも１つの換気口を備えている。この構成は、設備内部の空気力学的な圧力差を制限し、空気流の循環を妨げないようにするものである。
【００４６】
最適な実施形態による本発明のフレームは、複数の加熱素子の個々の統合手段が組み込まれている。この統合手段は、フレームと一体成形するのが好ましい。より詳しくは、この統合手段は、各加熱素子に対して、次のようにされている。
ａ）収容空間の内部で、フレームの平面に加熱素子を固定する少なくとも１つの固定手段。この固定手段は、特に、前記主要面を少なくとも部分的に形成する前記固定部材から構成されている。
ｂ）一端で加熱素子を支持する弾性手段に結合された、加熱素子の長手方向ブロック手段。長手方向ブロック部材は、爪付きフィンガと弾性部材とを結合している。
ｃ）フレーム上で加熱素子を側面から位置決めし、ヒーターに装備される接続ベースにおける個々の電気接続部材に対して、この位置に前記加熱素子を保持する手段。この側面位置決め手段は、隣接する長手方向の２個の隔壁の間にそれぞれ画定された、加熱素子の個々の収容通路から構成されている。
【００４７】
フレームの構造的な特徴により、たとえば、２個のシェルからなる１個の金型と、接続ベースを収容して、フレームの内部に１つまたは複数の加熱素子を通過可能にするスリーブをなす１個の引き出し状部材とを用いた、１回の成形操作により、フレームが安価に得られる。
【００４８】
このフレームは、少なくとも加熱素子をフレームに位置決め保持するのに必要な手段と、設備の少なくとも１つの壁にフレームを位置決め保持するのに必要な手段と、スリーブにより、フレームに容易に接合可能な接続ベースを介して、車両の電源または制御手段に少なくとも加熱素子を接続するのに必要な手段との全体を、追加の組立操作なしに組み込んでいる。
【００４９】
加熱素子は、フレームへの設置前に、互いにブロック状に集められた複数の基本加熱素子から形成可能である。しかし、割り当てられた通路に、個々に複数の基本加熱素を備えているため、標準的な加熱素子を直接使用すること、およびそれらを、引き出し式に片方の側面からフレームの収容空間内に摺動させて、１つずつ簡単にフレームに設置することにより、ヒーターの価格を下げることができる。
【００５０】
さらに、引き出し状の配置によって、このヒーターの主要部品、すなわちフレームを標準化し、しかも、様々なタイプのヒーターに対して、必要な暖房電力を得ることができる。各加熱素子は、平均３００ワットを送るので、たとえば４個の通路を含む同一フレームから、３００、６００、９００、または１２００ワットの異なる四つの電力ヒーターを形成することができる。
【００５１】
本発明は、また、上記フレームを含む、暖房、換気、または空調設備の電気暖房ヒーターを対象としている。
【００５２】
さらに本発明は、上記の補助電気ヒーターを統合した、換気、暖房、または空調設備を対象としている。
【００５３】
さらに本発明は、上記の電気ヒーターの組立方法を対象としている。
この方法は、
ａ）前記フレームの側壁に設けられた挿入路を介して、少なくとも１つの加熱素子をフレームの容積に挿入するステップと、
ｂ）フレームの前記主要面の領域に設けられた、フレームの固定手段の間で、加熱素子を摺動させるステップと、
ｃ）弾性部材で加熱素子を支持し、加熱素子の凹凸部とブロック部材との協働により、弾性部材を所定の位置にブロックするステップと、
ｄ）フレームへの嵌合により接続ベースを設置し、この接続ベースに加熱素子を接続するステップとを少なくとも含んでいる。この接続は、フレームへの設置に続く接続ベースと加熱素子との嵌合によって、または接続ベースの対応する接続部材への加熱素子の溶接によって、実施可能である。
【００５４】
また本発明の方法は、フレームが有する個々の通路の内部に、個々に、異なる複数の加熱素子を設置することからなっている。この設置は、フレームの容積内部に加熱素子を連続して配置するか、またはフレームへの加熱素子の個々の同一組立操作によって、これらの加熱素子をまとめて配置することにより、実施可能である。
【発明を実施するための最良の形態】
【００５５】
添付図面に示す、好適な実施形態の以下の説明を読むことにより、本発明はよりよく理解され、本発明の細部が明らかになると思う。
【００５６】
図では、電気ヒーターが、車両の換気、暖房、または空調設備に装備されるようになっている。このヒーターは、始動時に熱が不足する車両で、急速に熱を補給するヒーターである。
【００５７】
ヒーターは、枠状に形成された平面フレーム１を有し、このフレームは、設備が伝播する空気流Ａの中に配置されている。フレーム１は、空気流が通過するようになっている２つの主要面２、２’を有し、これらの面は、複数の加熱素子３を収容する収容空間１２を、双方の間に設けるように、互いに平行に離れて配置されている。
【００５８】
加熱素子３は、図示の実施例では、正の温度係数（ＰＴＣ）を有する抵抗から構成される。
【００５９】
フレーム１は、ポリプロピレン、ポリアミド等のプラスチック材料、または同様のプラスチック材料の成形からなるモノブロック要素から構成されている。特に、２つの主要面２、２’は、フレーム１を形成する枠の側壁を介して、互いに離れて配置されており、これらの側壁は、単一部品を構成している。
【００６０】
フレーム１の内部１２に加熱素子を保持するために、フレームと一体成形される固定部材１５が、フレーム１の各々の主要面２、２’の平面にそれぞれ配置されている。この固定部材１５は、フレーム３の主要面２、２’を介して、加熱素子３が出ないようにする障害物を形成している。
【００６１】
接続ベース４は、加熱素子３と車両の電源または制御手段とを電気接続するために、フレーム１にはめ込まれる。接続ベース４は、フレーム１に設けられた側面スリーブ１０を介して、フレーム１にはめ込まれ、前記側面スリーブは、この接続ベース４を嵌合により収容される。スリーブ１０には、溝１１が設けられ、接続ベース４が含むクリップを収容して、接続ベース４とフレーム２との嵌合による接続をロックするようになっている。
【００６２】
フレーム１の主要面２、２’による加熱素子の挿入に対し、固定部材１５が障害物を形成するので、スリーブ１０の空洞は、フレーム１の収容空間１２に、加熱素子３を引き出し式に挿入する挿入路２１を構成するために用いられる。
【００６３】
接続ベース４は、設備の壁５、特に、少なくとも加的なヒーターを収容するハウジングの壁に固定される。接続ベース４は、フレーム１に嵌合されるので、フレームは設備の壁５に保持される。
【００６４】
さらに、フレーム１は、設備の第１の壁５と、反対の壁６との間に延びるレール８により支持される。このような支持は、接続ベース４の収容端と反対側のフレーム１の端に設けられた、嵌合部材７によって得られる。嵌合部材７は、たとえばフック状に開いたスリーブまたは同様の部材から構成される。
【００６５】
壁５、６の少なくとも一方は、その全体面の所定の位置に、フレーム１を保持する止め具９を備えている。特にスリーブ１０と嵌合部材７とを組み合わせた、設備へのフレーム１の固定手段は、フレーム１と一体成形されている。
【００６６】
フレーム１には、収容空間１２への加熱素子３の統合手段が一体成形されている。この統合手段は、加熱素子３を個々に収容する通路１３を含んでいる。加熱素子は、それらに割り当てられた通路１３の内部に、摺動により個々に挿入されている。
【００６７】
通路１３は、フレーム１に一体成形された長手方向の隔壁１４により画定されている。長手方向の隔壁１４は、フレーム１の内部への挿入時に、加熱素子３のガイド部材を構成するだけでなく、フレーム１の剛性を高める部材と、隣接する２個の加熱素子３の間の電気絶縁部材とを構成している。
【００６８】
固定部材１５は、フレーム１の主要面２、２’を部分的に覆うように設けられた縁部から構成されている。この縁部は、長手方向の隔壁１４の区画、またはフレーム１の側面の区画を縁取るように設けられている。
【００６９】
固定部材１５もまた、フレーム１と一体成形され、フレームの収容空間１２の中に加熱素子３を保持し、フレーム１の主要面を介して、加熱素子が出ないようにしている。これらの固定部材は、隔壁１４の区画に沿う離隔セグメントに従って延びている。
【００７０】
一方の主要面２、２’の固定部材１５のセグメントは、少なくとも１つの隔壁１４の第１の区画に設けられ、他方の主要面２、２’の固定部材１５のセグメントは、この隔壁１４と反対の区画に設けられている。図示の実施例では、隔壁１４は全部で４個である。
【００７１】
各隔壁は、その各区画に固定部材１５を有している。固定部材１５は、セグメント化されており、隔壁１４の１つの区画に設けられたセグメントは、この隔壁１４の別の区画に設けられたセグメントに対して、長手方向にオフセットされている。
【００７２】
１個の隔壁１４の第１の区画に設けられた固定部材１５の一方は、２個のセグメントに分割され、隔壁１４の別の区画に設けられた他方の固定部材は、隔壁１４の第１の区画に設けられたセグメントに対して、長手方向にオフセットされた単一のセグメントを有している。
【００７３】
このような構成により、固定部材１５を統合する単一部品としての構成にもかかわらず、フレーム１の成形操作、および型抜き操作は容易となっている。
【００７４】
統合手段は、スリーブ１０に向かって加熱素子３を、長手方向に押す弾性部材１６を有する。図示の実施例では、弾性部材１６は、フレーム１と一体成形されたストリップ、または同様の変形可能な部材から形成されている。
【００７５】
弾性部材１６により、加熱素子３で、場合によっては生じる寸法変動、加熱素子３の製造誤差、または動作時の膨張によって生じうる変動を補正することができる。
【００７６】
また統合手段は、加熱素子を収容する通路１３の内部で、加熱素子３をブロックする部材１７を備えている。ブロック部材１７は、特に、接続ベース４との電気接続に適した位置で、通路１３の内部に、加熱素子３を配置するように構成されている。ブロック部材１７もまた、フレーム１と一体成形され、フレーム１の少なくとも一方の主要面２、２’の面に設けられている。
【００７７】
図示の実施例では、ブロック部材１７は、爪付きまたはフック付きのフィンガからなり、フレーム２の面で弾性移動可能に取り付けられ、当然のことながら、主要面２、２’の平面上に延びている。ブロック部材１７は、加熱素子３が含む係合凹凸部２２に係合するように構成されている。このような係合凹凸部２２は、各加熱素子３に対して複数あり、ラックのノッチ式に互いに配置されている。
【００７８】
フレーム１に加熱素子３を設置するために、フレームは、弾性部材１６で支持されるまで、また加熱素子３の係合凹凸部２２の１つと、ブロック部材とがかみ合うまで、引き出し式に挿入孔２１から挿入される。加熱素子３は、対応する通路１３の内部への挿入時に、長手方向の隔壁１４の間で、横方向に、またフレーム平面の主要面２，２’の間で、固定部材１５により、ガイドされる。
【００７９】
フレーム２には、また、横方向の剛性リブ１８が一体成形されており、このリブは、弾性部材１６とブロック部材１７とを支持するために用いられる。付随的に、長手方向の剛性リブ１９が、フレーム１の側壁の外縁に設けられている。
【００８０】
またフレーム１には、空気力学的な圧力差を低減し、設備内部の空気流の循環を妨げないようにするために、設備が伝播する空気流を通すための通気孔２０が設けられている。この通気孔２０は、フレーム１の横方向の剛性を高める端要素を介して設けられている。
【図面の簡単な説明】
【００８１】
【図１】換気、暖房、または空調設備の壁に設置された、本発明によるフレームを含む付加的な電気ヒーターの斜視図である。
【図２】図１に示したフレームの斜視図である。
【符号の説明】
【００８２】
１  フレーム
２、２’  主要面
３  加熱素子
４  接続ベース
５、６  壁
７  嵌合部材
９  止め具
１０  スリーブ
１１  溝
１２  収容空間
１３  通路
１４  隔壁
１５  固定部材
１６  弾性部材
１７  ブロック部材
１８、１９  剛性リブ
２０  通気孔
２１  挿入孔
２２  係合凹凸部
【図１】
2007216951.tif 000003
【図２】
2007216951.tif 000004